(57)【要約】【課題】光ファイバに無理な応力がかからず、光結合損失を長期間に亘って小さく維持することができるようにした携帯電話装置を提供する。【解決手段】携帯電話装置の上側筐体２と下側筐体３に収容された各回路基板に、筒状ハウジングの中心に光ファイバを配置した構造をなす光ファイバコネクタ５０、５１の基端部をそれぞれ接続し、各光ファイバコネクタ５０、５１の先端部をヒンジ部と同軸的に配置して、互いに回転可能に連結させ、各光ファイバコネクタ５０，５１に収容された光ファイバの端面どうしを整合させて光信号の授受を可能とする。【選択図】図１
2007312212.tif 000002
【特許請求の範囲】
【請求項１】
上側筐体と下側筐体とをヒンジ部で開閉可能に連結してなる折り畳み型の携帯電話装置であって、前記上側筐体と前記下側筐体には回路基板がそれぞれ収容され、各回路基板には、光ファイバコネクタがそれぞれ接続されており、各光ファイバコネクタは、筒状ハウジングの中心に光ファイバを配置した構造をなし、各光ファイバコネクタの一端が、電気信号を光信号に変換して前記光ファイバの一端に送出する光送信手段及び／又は光ファイバを通して伝達される光信号を電気信号に変換する光受信手段を介して、対応する回路基板に接続され、他端は前記ヒンジ部と同軸的に配置されて回転可能に連結され、各光ファイバコネクタに収容された光ファイバの端面どうしが整合して光信号の授受が可能とされていることを特徴とする携帯電話装置。
【請求項２】
前記各回路基板には、前記光送信手段を介して接続された光ファイバコネクタと、前記光受信手段を介して接続された光ファイバコネクタとからなる２つの光ファイバコネクタがそれぞれ設けられており、前記光送信手段を介して接続された光ファイバコネクタは、相手方回路基板の光受信手段を介して接続された光ファイバコネクタと連結され、前記光受信手段を介して接続された光ファイバコネクタは、相手方回路基板の光送信手段を介して接続された光ファイバコネクタと連結されている請求項１記載の携帯電話装置。
【請求項３】
前記各光ファイバコネクタは、ほぼＬ字状に屈曲された筒状ハウジングを有し、前記筒状ハウジングの一端は、前記光送信手段及び／又は光受信手段を介して対応する前記回路基板に接続され、前記筒状ハウジングの他端は、前記ヒンジ部と同軸的に配置されて回転可能に連結されている請求項１又は２に記載の携帯電話装置。
【請求項４】
前記光送信手段及び／又は前記光受信手段が、前記各回路基板に装着されると共に、前記各回路基板から前記ヒンジ部の回転軸線に至るまで延出されており、前記各光ファイバコネクタに収容された光ファイバの一端は、前記各基板から延出された前記光送信手段及び／又は前記光受信手段に連結されて、前記ヒンジ部と同軸的に配置されている請求項１〜３のいずれか１つに記載の携帯電話装置。
【請求項５】
前記光送信手段及び／又は前記光受信手段が、前記各光ファイバコネクタの一端に内蔵されている請求項１〜４のいずれか１つに記載の携帯電話装置。
【請求項６】
前記各光ファイバコネクタの筒状ハウジングの連結部には、回転を許容しつつ抜け止めさせる連結手段が設けられている請求項１〜５のいずれか１つに記載の携帯電話装置。
【発明の詳細な説明】
【技術分野】
【０００１】
本発明は、表示部を配置した上側筐体と、その他の機能部を組み込んだ下側筐体とを光ファイバが収容されたコネクタ部で接続した折り畳み型の携帯電話装置に関する。
【背景技術】
【０００２】
近年において、使用時及び携帯時の利便性その他の理由から、折り畳み型の携帯電話装置が多く用いられるようになった。折り畳み型の携帯電話装置においては、その形態上、上側筐体と下側筐体とに機能部分が分散して配置されている構造となっている。
【０００３】
しかし、形態が棒状の携帯電話装置とは異なり、折り畳み型の携帯電話装置は、下側筐体の制御部から上側筐体の表示部とを電気的に接続する部分が必要となってくる。
【０００４】
そこで、特許文献１（特開２００４-７２１８号公報）には、本体側基板と蓋体側基板とをフレキシブル配線基板で互いに接続することで、フレキシブル配線基板から放射されるノイズによる受信性能の劣化や、フレキシブル配線基板に送信波が入力することによる誤動作の発生を未然に防止し得る折畳み式携帯情報端末が開示されている。
【０００５】
また、特許文献２（特開２００３-２４４２９５号公報）には、上側筐体に設けられた表示手段と下側筐体に設けられた制御手段とを接続する接続部が光ファイバであることによって、接続部を通過する電気信号の輻射による携帯電話装置の通信の受信感度が低下するのを防止でき、高速のデータ転送が可能な携帯電話装置が開示されている。
【特許文献１】特開２００４-７２１８号
【特許文献２】特開２００３-２４４２９５号
【発明の開示】
【発明が解決しようとする課題】
【０００６】
しかしながら、文献１のような接続部をフレキシブルプリント板によって構成した場合、接続部を通過する電気信号の輻射によって、携帯電話装置の通信の受信感度が低下すること、信号線のインピーダンスの影響によって、一定限度以上の高速のデータ転送ができないことなどの問題がある。
【０００７】
また、文献２においては、光ファイバを用いる折畳み式携帯電話装置が記載されているが、光ファイバを回路基板に接合する部分の形状については何ら開示されていない。したがって、常法により、上側筐体の回路基板と下側筐体の回路基板とに光データリンク用コネクタを設けて、コネクタ間を連続した光ファイバで連結した場合、上側筐体と下側筐体とを繰り返し折り畳むことにより、光ファイバに屈曲やねじれが繰り返し作用して内部歪等が発生し、光結合損失が増大する可能性があった。
【０００８】
したがって、本発明の目的は、光ファイバに無理な応力がかからず、光結合損失を長期間に亘って小さく維持することができるようにした携帯電話装置を提供することにある。
【課題を解決するための手段】
【０００９】
上記課題を解決するため、本発明は、上側筐体と下側筐体とをヒンジ部で開閉可能に連結してなる折り畳み型の携帯電話装置であって、前記上側筐体と前記下側筐体には回路基板がそれぞれ収容され、各回路基板には、光ファイバコネクタがそれぞれ接続されており、各光ファイバコネクタは、筒状ハウジングの中心に光ファイバを配置した構造をなし、各光ファイバコネクタの一端が、電気信号を光信号に変換して前記光ファイバの一端に送出する光送信手段及び／又は光ファイバを通して伝達される光信号を電気信号に変換する光受信手段を介して、対応する回路基板に接続され、他端は前記ヒンジ部と同軸的に配置されて回転可能に連結され、各光ファイバコネクタに収容された光ファイバの端面どうしが整合して光信号の授受が可能とされていることを特徴とする携帯電話装置を提供するものである。
【００１０】
本発明によれば、回路基板の光ファイバコネクタの先端部同士がヒンジ部と同軸的に配置されて回転可能に連結されることで、各光ファイバコネクタに収容された光ファイバの端面どうしが整合して光信号の授受が可能となり、光ファイバ自体のねじれが生じないので光結合損失を小さくすることができる。また、光ファイバを用いているので、フレキシブルプリント板で電気信号を伝送する従来例の場合と比較して、格段に高速のデータ転送が可能になる。また、上側筐体と下側筐体とを結ぶ接続部が光ファイバで構成されているので、接続部を通過する電気信号の輻射によって、携帯電話装置の通信の受信感度が低下することを防止することができる。
【００１１】
また、前記各回路基板には、前記光送信手段を介して接続された光ファイバコネクタと、前記光受信手段を介して接続された光ファイバコネクタとからなる２つの光ファイバコネクタがそれぞれ設けられており、前記光送信手段を介して接続された光ファイバコネクタは、相手方回路基板の光受信手段を介して接続された光ファイバコネクタと連結され、前記光受信手段を介して接続された光ファイバコネクタは、相手方回路基板の光送信手段を介して接続された光ファイバコネクタと連結されていることが好ましい。これによれば、１つの回路基板に２つの光ファイバコネクタが設けられているので、一方を下側筐体からのデータを上側筐体に送信する専用の光ファイバコネクタとして、他方を上側筐体からのデータを下側筐体に送信する専用の光ファイバコネクタとすることができ、光ファイバコネクタが１つの場合と比較して格段に高速でデータ転送が可能となる。
【００１２】
また、前記各光ファイバコネクタは、ほぼＬ字状に屈曲された筒状ハウジングを有し、前記筒状ハウジングの一端は、前記光送信手段及び／又は光受信手段を介して対応する前記回路基板に接続され、前記筒状ハウジングの他端は、前記ヒンジ部と同軸的に配置されて回転可能に連結されていることが好ましい。これによれば、筒状ハウジングの一端を対応する回路基板に接合し、筒状ハウジングの他端をヒンジ部と同軸的に配置して連結することにより、光ファイバによる接続を行うことができるので、取付け作業性を向上させることができる。また、光ファイバを筒状ハウジングで保護して信頼性や耐久性を高めることができる。
【００１３】
また、前記光送信手段及び／又は前記光受信手段が、前記各回路基板に装着されると共に、前記各回路基板から前記ヒンジ部の回転軸線に至るまで延出されており、前記各光ファイバコネクタに収容された光ファイバの一端は、前記各基板から延出された前記光送信手段及び／又は前記光受信手段に連結されて、前記ヒンジ部と同軸的に配置されていることが好ましい。これによれば、光送信手段及び／又は前記光受信手段が、各回路基板からヒンジ部の回転軸線に至るまで延出されていて、光ファイバはこれらの光送信手段及び／又は前記光受信手段をヒンジ部の回転軸線に沿って直線状に連結するだけとなるので、光ファイバの耐久性を更に高めることができる。
【００１４】
また、前記光送信手段及び／又は前記光受信手段が、前記各光ファイバコネクタの一端に内蔵されていることが好ましい。これによれば、前記光送信手段及び／又は前記光受信手段が、前記各光ファイバコネクタの一端に内蔵されているので、回路基板上に光送信手段及び／又は前記光受信手段を取付ける必要なく、光ファイバコネクタを基板に接続するだけで、光信号と電気信号との相互変換が可能となる。
【００１５】
また、前記各光ファイバコネクタの筒状ハウジングの連結部には、回転を許容しつつ抜け止めさせる連結手段が設けられていることが好ましい。これによれば、コネクタ同士の連結がより確実になされ、光ファイバの端面どうしを正確に整合させることができる。
【発明の効果】
【００１６】
本発明の携帯電話装置は、上側筐体の回路基板と下側筐体の回路基板のそれぞれに接続された光ファイバコネクタどうしの端部を、ヒンジ部と同軸的に配置して回転可能に連結したことにより、光ファイバのねじれを防止すると共に、光結合損失を小さくし、高速で安定的な携帯電話の使用を可能にすることができる。
【発明を実施するための最良の形態】
【００１７】
以下、図面に基づいて本発明の実施形態を説明する。
【００１８】
図１〜５には、本発明による携帯電話装置の第１実施形態が示されている。図５に示すように、この携帯電話装置１は、上側筐体２と下側筐体３とを備え、上側筐体２と下側筐体３の中間部にあるヒンジ部４により、上下の筐体２，３が回動可能に連結されている。そして、ヒンジ部４の回動により、上側筐体２を下側筐体３の上面方向に折り畳むことができるようになっている。図５は、ヒンジ部４の回動により携帯電話装置１が開いた状態であり、下側筐体３の操作部６及びマイク８と、上側筐体２の液晶表示部５及びスピーカ７とが露出している。
【００１９】
すなわち、携帯電話装置１が開いた状態で、上側筐体２には、上端部にスピーカ７、中央部に液晶表示部５が設けられている。下側筐体３には、下端部にマイク８が設けられ、中央部にはテンキーや各種ファンクションキー等から成る各種操作ボタンが配置された操作部６が設けられている。また、下側筐体３又は上側筐体２には、携帯無線装置を構成するアンテナ（図示せず）が内蔵されている。
【００２０】
図１に示すように、上側筐体２は、上側蓋体２０と、上側箱体２２と、それらに収容される上側回路基板２１とを有している。上側蓋体２０の表面には、上端部にスピーカ７、中央に液晶表示部５が設けられている。また、上側蓋体２０のヒンジ部方向の側面には、上側蓋体２０の側面から突出した半円筒状の蓋側舌片部４３ａが設けられている。
【００２１】
上側回路基板２１には、ディスプレイ駆動回路などの電子回路等が設けられている。上側回路基板２１の下端部には、受光素子などを含む光受信手段が収容された変換アダプタ５９が半田付けされており、この変換アダプタ５９に光ファイバコネクタ５１の一端が連結されている。
【００２２】
上記上側箱体２２は、長方形の底面２２ａと、左右の側壁２２ｂと、各側壁２２ｂの一方の端部を連結する側壁２２ｃとで囲まれた箱型の構造をしている。また、側壁２２ｃに対向する辺は開放されており、底面２２ａの下縁部から延出された半円筒状の箱側舌片部４３ｂが設けられている。この箱側舌片部４３ｂは、上記蓋側舌片部４３ａと整合して、それらの内部に光ファイバコネクタ５１が配置されるようになっている。
【００２３】
また、上側箱体２２の左側壁２２ｂの下端部には、底面２２ａよりもヒンジ部の回転軸線に至るまで延出した半円形状の外側ヒンジ片４１ｂが設けられている。上側箱体２２の右側壁２２ｂの下端部には、底面２２ａよりもヒンジ部の回転軸線に至るまで延出した半円形状の内側ヒンジ片４０ｂが設けられている。上記内側ヒンジ片４０ｂは、外側ヒンジ片４１ｂよりも後述する下側箱体３２の外側ヒンジ片４０ａの厚さ分だけ、上側箱体２２の内方から延出されている。上記半円形の外側ヒンジ片４１ｂ及び内側ヒンジ片４０ｂには、ヒンジビス８０を通すことができる孔が設けられている。上側箱体２２の内面には、四隅に底面２２ａに対して垂直に立設された円筒状のネジ挿通部２３が設けられている。
【００２４】
また、図１に示すように上側箱体２２の下面四隅からネジ８２をネジ挿通部２３に挿入し、上側回路基板２１の孔２１ａを通し、上側蓋体２０の裏面のネジ８２を留めるためのネジ孔（図示せず）にネジ留めを行うことで三層構造の上側筐体２が組み立てられる。この状態で上側回路基板２１は、上側箱体２２と上側蓋体２０とで形成されるケースの内部に収容される。
【００２５】
また、上側蓋体２０の蓋側舌片部４３ａと上側箱体２２の箱側舌片部４３ｂとが互いに組み付けられることで、図５に示すような半円筒状のカバー４３が形成される。このカバー４３は、上側回路基板２１からヒンジ部の回転軸線に至るまで延出した光ファイバコネクタ５１の部分を収容する。
【００２６】
下側筐体３は、下側蓋体３０と、下側箱体３２と、それらに収容される下側回路基板３１とを備えている。
【００２７】
上記下側蓋体３０の表面には、下端部にマイク８、中央部にはテンキーや各種ファンクションキー等から成る各種操作ボタンが配置された操作部６が設けられている。下側蓋体３０の裏面には、ネジ８２を留めるためのネジ孔（図示せず）が設けられている。また、下側蓋体３０のヒンジ部方向の端部には、下側蓋体３０から延出された半円筒状の蓋側舌片部４２ａが設けられている。
【００２８】
下側回路基板３１には、ＲＦ回路や送受信回路などの電子回路が設けられている。下側回路基板３１の上端部には、発光素子などを含む光送信手段が収容された変換アダプタ５８が半田付けされており、この変換アダプタ５９に光ファイバコネクタ５０の一端が連結されている。光ファイバコネクタ５０の他端は、Ｌ字状に屈曲されてヒンジ部の回転軸線に沿って配設されている。
【００２９】
上記下側箱体３２は、底面３２ａと、左右側壁３２ｂと、各側壁３２ｂの下端部を連結する側壁３２ｃで３方を囲まれた箱型の構造をしている。また、側壁３２ｃに対向する辺は開放されており、底面３２ａから延出された半円筒状の箱側舌片部４２ｂが設けられている。この箱側舌片部４２ｂは、上記蓋側舌片部４２ａと整合して、それらの内部に光ファイバコネクタ５０が配置されるようになっている。
【００３０】
下側箱体３２の右側壁３２ｂの上端部には、ヒンジ部の回転軸線に至るまで延出した半円形状の外側ヒンジ片４０ａが設けられている。下側箱体３２の左側壁３２ｂの上端部には、ヒンジ部の回転軸線に至るまで延出した半円形状の内側ヒンジ片４１ａが設けられている。上記内側ヒンジ片４１ａは、外側ヒンジ片４０ａよりも下側箱体３２の内方から延出されている。上記半円形の外側ヒンジ片４０ａ及び内側ヒンジ片４１ａには、ヒンジビス８０を通すことができる孔が設けられている。下側箱体３２の内面には、四隅に底面３２ａに対して垂直に立設された円筒状のネジ挿通部３３が設けられている。
【００３１】
また、図１に示すように下側箱体３２の下面四隅からネジ８２をネジ挿通部３３に導入し、下側回路基板３１の孔３１ａを通し、下側蓋体３０の裏面のネジ８２を留めるためのネジ孔（図示せず）にネジ留めを行うことで三層構造の下側筐体３が組み立てられる。この状態で下側回路基板３１は、下側箱体３２と下側蓋体３０とで形成されるケースの内部に収容される。
【００３２】
また、下側蓋体３０の蓋側舌片部４２ａと下側箱体３２の箱側舌片部４２ｂとが互いに組み付けられることで、図５に示すような半円筒状のカバー４２が形成される。このカバー４２は、下側回路基板３１からヒンジ部の回転軸線に至るまで延出した光ファイバコネクタ５０の部分を収容する。
【００３３】
ここで、図１に示すように、下側箱体３２に形成された外側ヒンジ片４０ａと、上側箱体２２に形成された内側ヒンジ片４０ｂとがヒンジビス８０を介して連結し、同様に下側箱体３２に形成された内側ヒンジ片４１ａと、上側箱体２２に形成された外側ヒンジ片４１ｂとがヒンジビス８０を介して連結し、図５のようなヒンジ部４が構成されている。このヒンジ部４の軸線を中心に携帯電話装置１を開閉することができる。また、下側筐体３におけるカバー４２と、上側筐体２におけるカバー４３とは、左右の各ヒンジ片の間に隣接して配置され、それらの内部に収容された光ファイバコネクタ５０，５１の端部が、ヒンジ部４と同軸的に配置されている。
【００３４】
上側回路基板２１に接続された光ファイバコネクタ５１と、下側回路基板３１に接続された光ファイバコネクタ５０とは、上下の筐体２，３を組み立てる前に、予め連結されて前記半円筒状のカバー４２，４３内に収容されるように配置される。
【００３５】
図３（ｂ）に示されるように光ファイバコネクタ５１の先端部５１ｂが光ファイバコネクタ５０の先端部５０ｂのフランジ部に挿入されて連結されている。光ファイバコネクタ５１と光ファイバコネクタ５０の連結部は、ヒンジ部４と同軸的に配置されおり、回転可能に連結されている。
【００３６】
図３（ａ）に示すように光ファイバコネクタ５０は、屈曲した筒状ハウジング５２を有し、光ファイバコネクタ５０の先端部５０ｂには拡径筒部５３が形成されている。また、光ファイバコネクタ５０の基端部５０ａは、下側回路基板３１に実装された光送信手段を内蔵する変換アダプタ５８に接続される。図２（ａ）に示すように、拡径筒部５３の内周には、環状の凸部５６が形成されている。
【００３７】
一方、光ファイバコネクタ５１は、図３（ａ）に示すように屈曲した筒状ハウジング５２を有し、光ファイバコネクタ５１の先端部５１ｂには環状溝５５が設けられている。また、光ファイバコネクタ５１の基端部５１ａは、上側回路基板２１に実装された光受信手段を内蔵する変換アダプタ５９に接続される。
【００３８】
そして、各光ファイバコネクタ５０、５１の先端部５０ｂ、５１ｂは、上側筐体２及び下側筐体３のヒンジ部４の回転軸心と同軸的に配置されて、環状溝５５が形成された一方の先端部５１ｂを、拡径筒部５３を有する他方の先端部５０ｂに挿入することにより、図２（ａ）に示すように、拡径筒部５３内周に形成された環状の凸部５６が、上記環状溝５５に嵌合して、上記各光ファイバコネクタ５０、５１の先端部５０ｂ、５１ｂが回転可能に連結される。
【００３９】
ここで、回転を許容しつつ抜け止めさせる連結手段の別の対応として、図２の（ｂ）に示されるように、光ファイバコネクタ５０のフランジ内周に環状の溝を設け、その溝へＯリング５７を配置させてもよい。
【００４０】
なお、変換アダプタ５８，５９は、光ファイバコネクタ５０、５１と予め一体化されていてもよく、その場合には、光ファイバコネクタ５０、５１の一端を対応する回路基板３１、２１に半田付けするだけで、光ファイバだけでなく電気／光変換手段をも下側回路基板３１に実装できる。
【００４１】
各光ファイバコネクタの筒状ハウジング５２は、中心部にはコアとクラッドを有する光ファイバが長さ方向に沿って埋設されており、その外周には熱可塑性樹脂等からなる光ファイバを保護する光ファイバ保護体５４ａと、該光ファイバ保護体５４ａの外周を覆う熱可塑性樹脂等からなる外部保護被覆５４ｂとを備えている構造となっている。
【００４２】
本発明に適用可能な光ファイバとしては、コアと複数層のクラッドからなるプラスチック系光ファイバ、石英ガラス系光ファイバ、ポリマーグラッド光ファイバ等、公知のものが使用できる。また、光ファイバのモード種類としては、例えばシングルモード光ファイバやマルチモード光ファイバを適用することができる。また、光ファイバの周囲に薄膜状のカーボン層がコーティングされていてもよい。外部保護被覆５４ｂは、複数の層からなっていてもよい。
【００４３】
また、本発明の携帯電話装置１の上下筐体の接続には、光ファイバだけでなく、フレキシブルプリント基板を併用してもよい。
【００４４】
次に、上記第１の実施形態の作用効果について述べる。
【００４５】
この携帯電話装置１は、下側回路基板３１の光ファイバコネクタ５０と上側回路基板２１の光ファイバコネクタ５１が、ヒンジ部４と同軸的に連結されており、光ファイバコネクタ５０、５１がヒンジ部の回転軸を中心に回転することで、図４に示されるように、上側回路基板２１と下側回路基板３１とが１８０度開いた状態（ａ）から、９０度開いた状態（ｂ）を経て、上側回路基板２１と下側回路基板３１とが閉じた状態（ｃ）にすることができる。
【００４６】
上記各回路基板には、光ファイバコネクタ端部がそれぞれ接続されており、図３（ｄ）のように各光ファイバコネクタの先端同士が回転可能に連結されることで、各光ファイバコネクタに収容された光ファイバの端面どうしが整合して光信号の授受が可能となり、光ファイバ自体がねじれを生じず、光結合損失を小さくすることができる。
【００４７】
また、図２（ａ）に示すように、光ファイバコネクタ５０の拡径筒部５３内周に形成された環状の凸部５６と、光ファイバコネクタ５１の先端部５１ｂ外周に形成された環状の環状溝５５とが係合することによって、光ファイバコネクタ５０、５１が回転可能に連結されているので、コネクタ連結部における光ファイバの端面どうしを正確に整合させることができる。
【００４８】
また、回転を許容しつつ抜け止めさせる連結手段の別の例として、図２（ｂ）に示すように、光ファイバコネクタ５０の拡径筒部５３内周にも環状の溝を形成し、各コネクタの環状の溝間にＯリング５７を嵌合させて連結した場合には、回転の際に軸ずれを起こすおそれがなく、また、回転がよりスムーズに行えるようにすることができる。
【００４９】
更に、連結した光ファイバコネクタが振動してもＯリング５７で振動が吸収されるので、光ファイバコネクタの連結部の光軸がずれるのを防止することができる。また、Ｏリング５７によって光ファイバコネクタの連結部がシールされるので、水や埃などが光ファイバ連結部に浸入することを確実に防止することができる。
【００５０】
そして、下側回路基板３１に設けられた回路ユニットにより発せられる電気信号は、変換アダプタ５８によって光信号に変換されて、光ファイバコネクタ５０の光ファイバ１００に出力される。この光信号は、光ファイバ１００の先端面から、光ファイバコネクタ５１の光ファイバ１０１の基端面に入力され、変換アダプタ５９に出力される。変換アダプタ５９は、光信号を電気信号に変えて、上側回路基板２１の駆動回路に伝達し、液晶表示部５の表示や、スピーカ７からの音声出力を行わせる。
【００５１】
なお、変換アダプタ５８，５９として受発光素子を内蔵するものを用いることにより、上下の回路基板２１，３１の双方から信号を授受できるようにすることもできる。
【００５２】
また、データ伝送材として光ファイバを用いることで、フレキシブル配線基板のようにノイズが通信アンテナに入力されることによる受信性能の劣化や、通信アンテナから放射された送信波がフレキシブル配線基板に入力することによる誤動作の発生等を未然に防止することができる。また、従来例の場合と比較して格段に高速のデータ転送が可能となり、携帯電話装置の構成が複雑化せず、コストを低減するとともに、信頼性を向上できるようになる。
【００５３】
図６には、本発明による携帯電話装置の第２の実施形態が示されている。この第２の実施の形態において、第１の実施の形態と同一構成部品には同一の符号を付するものとし、重複する部材の説明は省略するものとする。
【００５４】
この実施形態では、下側回路基板３１に、２つの変換アダプタ５８を介して、光ファイバコネクタ６０、６２が接続され、上側回路基板２１に、同じく２つの変換アダプタ５９を介して、光ファイバコネクタ６１，６３が接続されている。同一基板上の光ファイバコネクタ６０と６２、及び６１と６３は、お互いに接触しないように所定間隔で配置されている。
【００５５】
携帯電話装置１の下側箱体３２は、ヒンジ部面から突出した半円筒状の２つの箱側舌片部４２ｂ、下側箱体３２の外周に設けられた外側ヒンジ片４０ａ、下側箱体３２の外周より内側に設けられた内側ヒンジ片４１ａを有しており、下側蓋体３０は、ヒンジ部面から突出した半円筒状の２つの蓋側舌片部４２ａを有している。
【００５６】
そして、下側箱体３２及び下側蓋体３０の間に下側回路基板３１を配置して、下側蓋体３０の蓋側舌片部４２ａと下側箱体３２の箱側舌片部４２ｂとを互いに組み付けることにより、光ファイバコネクタ６０，６２が覆われるようになっている。
【００５７】
同様に、携帯電話装置１の上側箱体２２は、ヒンジ部面から突出した半円筒状の２つの箱側舌片部４３ｂ、上側箱体２２の外周に設けられた外側ヒンジ片４１ｂ、上側箱体２２の外周より内側に設けられた内側ヒンジ片４０ｂを有しており、上側蓋体２０は、ヒンジ部面から突出した半円筒状の２つの蓋側舌片部４３ａを有している。
【００５８】
そして、上側箱体２２及び上側蓋体２０の間に上側回路基板２１を配置して、上側蓋体２０の蓋側舌片部４３ａと上側箱体２２の箱側舌片部４３ｂとを互いに組み付けることにより、光ファイバコネクタ６１，６３が覆われるようになっている。
【００５９】
更に、下側筐体の光ファイバコネクタ６０と、上側筐体の光ファイバコネクタ６１とがヒンジ部と同軸的に配置されて連結され、下側筐体の光ファイバコネクタ６２と、上側筐体の光ファイバコネクタ６３とが同じくヒンジ部と同軸的に配置されて連結されている。
【００６０】
光ファイバコネクタ６０，６１は、下側回路基板３１からの電気信号を光信号に変えて上側回路基板２１に伝達し、光ファイバコネクタ６３，６２は、上側回路基板２１の電気信号を光信号に変えて下側回路基板３１に伝達する。
【００６１】
このように、第２の実施形態においては、１つの回路基板に２つずつの光ファイバコネクタが設けられているので、光ファイバコネクタ６０、６１を用いて、下側回路基板３１から上側回路基板２１にデータを送信し、光ファイバコネクタ６３，６２を用いて上側回路基板２１から下側回路基板３１にデータを送信することができるので、上側回路基板２１と下側回路基板３１とで双方向にデータの送受信ができ、しかも高速のデータ転送が可能となる。
【００６２】
図７〜９には、本発明による携帯電話装置の第３の実施形態が示されている。この第３の実施の形態において、第１の実施の形態と同一構成部品には同一の符号を付するものとし、重複する部材の説明は省略するものとする。
【００６３】
この実施形態では、上下回路基板２１，３１に装着された変換アダプタ７６，７５が、それぞれの基板からヒンジ部の回転軸線まで延出されており、これらの延長部分を連結するように、光ファイバコネクタ７０、７１が配置されている。各光ファイバコネクタ７０，７１は、ストレートな円筒状をなし、それらの基端部７０ａ、７１ａは、対応する変換アダプタ７５，７６に連結されている。前記実施形態と同様に、一方の光ファイバコネクタ７０の先端部７０ｂには拡径筒部７３が形成され、他方の光ファイバコネクタ７１の先端部７１ｂには環状の溝７１ｃが形成されている。そして、一方の光ファイバコネクタ７０の拡径筒部７３に、他方の光ファイバコネクタ７１の先端部７１ｂを挿入すると、光ファイバコネクタ７１の環状の溝７１ｃに、光ファイバコネクタ７０の拡径筒部７３内周に設けられた環状の凸部が嵌合して、回転可能に連結されるようになっている。
【００６４】
この実施形態の光ファイバコネクタ７０，７１は、ストレートな形状の筒状ハウジングに光ファイバを内蔵した構造をなすので、光ファイバが直線状に伸びており、屈曲による光透過損失が少なく、携帯電話装置を折り畳む際に光ファイバに無理な応力がかからず、歪が生じないので、光結合損失を少なくすることができ、光ファイバの寿命を長くすることができる。
【図面の簡単な説明】
【００６５】
【図１】本発明の第１実施形態による携帯電話装置の分解斜視図である。
【図２】同携帯電話装置の光ファイバコネクタの連結部を示す断面図である。
【図３】同携帯電話装置の光ファイバコネクタの連結構造を示す斜視図である。
【図４】同携帯電話装置の回路基板と光ファイバコネクタと連結構造を示す斜視図である。
【図５】同携帯電話装置の上下の筐体を開いた状態の斜視図である。
【図６】本発明の第２実施形態による携帯電話装置の分解斜視図である。
【図７】本発明の第３実施形態による携帯電話装置の分解斜視図である。
【図８】同携帯電話装置における光ファイバコネクタの連結部を示す要部拡大斜視図である。
【図９】同携帯電話装置の光ファイバコネクタの連結構造を示す斜視図である。
【符号の説明】
【００６６】
１  携帯電話装置
２  上側筐体
３  下側筐体
４  ヒンジ部
５  液晶表示部
６  操作部
７  スピーカ
８  マイク
２０  上側蓋体
２１  上側回路基板
２２  上側箱体
３０  下側蓋体
３１  下側回路基板
３２  下側箱体
４０ａ、４１ｂ  外側ヒンジ片
４０ｂ、４１ａ  内側ヒンジ片
４２、４３  カバー
４２ａ、４３ａ  蓋側舌片部
４２ｂ、４３ｂ  箱側舌片部
５０、５１、６０、６１、６２、６３、７０、７１  光ファイバコネクタ
５０ａ、５１ａ、７０ａ、７１ａ  基端部
５０ｂ、５１ｂ、７０ｂ、７１ｂ  先端部
５２、７２  筒状ハウジング
５４ａ  光ファイバ保護体
５４ｂ  外部保護被覆
５５  環状溝
５６  凸部
５７  Ｏリング
５８、５９、７５、７６  変換アダプタ
【図１】
2007312212.tif 000003
【図２】
2007312212.tif 000004
【図３】
2007312212.tif 000005
【図４】
2007312212.tif 000006
【図５】
2007312212.tif 000007
【図６】
2007312212.tif 000008
【図７】
2007312212.tif 000009
【図８】
2007312212.tif 000010
【図９】
2007312212.tif 000011